(57)【特許請求の範囲】
【請求項１】
フロントケース（１）に形成された円筒状のＭＩＣユニット取付部（２）内にＭＩＣユニット（６）を収納してなる風切り音防止型マイクロホンにおいて、
前記ＭＩＣユニット取付部（２）があるフロントケース（１）自体に雑音減衰用の道長の長い狭い屈曲した溝状の音道（４）を形成し、この音道（４）は、前記円筒状のＭＩＣユニット取付部（２）内の外周部に形成された透孔（４ａ）と、この透孔（４ａ）の上部と連通し、フロントケース（１）の上面に形成された狭い溝状の屈曲部（４ｂ）と、この屈曲部（４ｂ）の端部に形成され、ＭＩＣユニット取付部（２）内のほぼ中央に位置する円形の孔（４ｃ）とからなり、かつその上部に音道（４）と連通する透孔（５ａ）を有するほぼリング状のスペーサ（５）を介し前記ＭＩＣユニット（６）を設けたことを特徴とする風切り音防止型マイクロホン。
【請求項２】
フロントケース（１）に形成された円筒状のＭＩＣユニット取付部（２）内にＭＩＣユニット（６）を収納してなる風切り音防止型マイクロホンにおいて、
前記ＭＩＣユニット取付部（２）があるフロントケース（１）部分に透孔（１ａ）を形成し、その上方に、防水シート（７）を設け、かつその上方に、透孔（１ａ）と連通する雑音減衰用の道長の長い狭い屈曲した溝状の音道（４）を有するほぼ円板状の音道用アタッチメント（８）を配設し、この音道（４）は音道用アタッチメント（８）の外周部に穿設された透孔（４ａ）と、この透孔（４ａ）と音道用アタッチメント（８）の上面において連通し、かつ狭い溝状をなし、中心に形成された孔（４ｃ）に向って屈折された屈曲部（４ｂ）とからなり、かつその上方に孔（４ｃ）と連通する透孔（９ａ）を有するほぼリング状のスペーサ（９）を介し前記ＭＩＣユニット（６）を設けたことを特徴とする風切り音防止型マイクロホン。
【発明の詳細な説明】
【０００１】
【産業上の利用分野】
この発明は、風切り音やポップノイズ等を減少させるようにした風切り音防止型マイクロホンに関する。
【０００２】
【従来の技術】
例えば通信用のマイクロホンは、屋外で使用する場合が多い。したがって、風が強い場合、その風切り音により通信の明瞭度を損なう場合がある。また、話し手のポップノイズも同様に通信の妨げになる場合がある。そこで、従来から風切り音防止型マイクロホンが提案されており、図９はその一従来例である。
【０００３】
この図９に示す風切り音防止型マイクロホンは、マイクロホンを構成するフロントケース１の内部に、音が入って来る方向から順に音響抵抗材１０，１１，１２と、スペーサ１３と、マイクロホンユニット（本明細書ではこれを単に、「ＭＩＣユニット」という。）６とが取り付けられている。前記音響抵抗材１０，１１，１２のうちの、例えば音響抵抗材１０は不織布により形成され、音響抵抗材１１は発泡ウレタンにより形成され、音響抵抗材１２はフェルトにより形成されていて、これらの音響抵抗材１０，１１，１２の積層体により、風切り音やポップノイズを減少させるようにしている。
【０００４】
また、図１０は他の従来例である。この例では、フロントケース１の内部に、ＭＩＣユニット６と、風切り音吸収積層体１４とを配設し、前記風切り音吸収積層体１４を、音響抵抗材１５と、これの表，裏面に積層された第１，第２薄板１６，１７とで形成し、前記第１，第２薄板１６，１７を非通気性でかつ堅い材料で形成するとともに、第１，第２薄板１６，１７に、それぞれ中心部よりなるべく離れた位置に小孔ａ，ｂを設け、しかも前記小孔ａ，ｂを第１，第２薄板１６，１７の中心軸Ｏ−Ｏの回りに９０°以上位置をずらして配置し、風切り音吸収積層体１４に前記第１，第２薄板１６，１７を一体に接合して構成し、風切り音等を減少させるようにしている。
【０００５】
【発明が解決しようとする課題】
しかし、前者の従来技術では材質の異なる複数枚の例えば音響抵抗材１０，１１，１２を重ね合わせて配置しているのみで、図９にＡ→Ｂで示すように音が直線状に進むため、風切り音の減衰効果が必ずしも上がらないという問題がある。また、不織布，発泡ウレタンやフェルト等の異種類の音響抵抗材を用意しなければならないので、製作，組み立てに多くの工数を要し、コストアップを招く問題があり、大型化する問題もある。
【０００６】
また、後者の従来例では、風切り音防止対策として、音響抵抗材１５や第１，第２の２つの薄板１６，１７を必要とし、部品点数が多く、かつ積層厚もあり、また、各小孔ａ，ｂの位置をズラして第１，第２薄板１６，１７をセットしなければならないため、組立が煩雑であり、またズラせる距離に限界があり、風切り音等の防止効果にも限界があるという問題があった。
【０００７】
本発明は、上記の点に鑑み提案されたもので、その目的とするところは、部品点数の減少化、組み立て工数の削減化を図り、しかも全体の小型化を図り得る風切り音防止型マイクロホンを提供することにある。
【０００８】
【課題を解決するための手段】
この発明は、フロントケース１に形成された円筒状のＭＩＣユニット取付部２内にＭＩＣユニット６を収納してなる風切り音防止型マイクロホンにおいて、前記ＭＩＣユニット取付部２があるフロントケース１自体に雑音減衰用の道長の長い狭い屈曲した溝状の音道４を形成し、この音道４は、前記円筒状のＭＩＣユニット取付部２内の外周部に形成された透孔４ａと、この透孔４ａの上部と連通し、フロントケース１の上面に形成された狭い溝状の屈曲部４ｂと、この屈曲部４ｂの端部に形成され、ＭＩＣユニット取付部２内のほぼ中央に位置する円形の孔４ｃとからなり、かつその上部に音道４と連通する透孔５ａを有するほぼリング状のスペーサ５を介し前記ＭＩＣユニット６を設けることにより上記目的を達成している。
【０００９】
また、フロントケース１に形成された円筒状のＭＩＣユニット取付部２内にＭＩＣユニット６を収納してなる風切り音防止型マイクロホンにおいて、前記ＭＩＣユニット取付部２があるフロントケース１部分に透孔１ａを形成し、その上方に、防水シート７を設け、かつその上方に、透孔１ａと連通する雑音減衰用の道長の長い狭い屈曲した溝状の音道４を有するほぼ円板状の音道用アタッチメント８を配設し、この音道４は音道用アタッチメント８の外周部に穿設された透孔４ａと、この透孔４ａと音道用アタッチメント８の上面において連通し、かつ狭い溝状をなし、中心に形成された孔４ｃに向って屈折された屈曲部４ｂとからなり、かつその上方に孔４ｃと連通する透孔９ａを有するほぼリング状のスペーサ９を介し前記ＭＩＣユニット６を設けた構成とすることにより上記目的を達成している。
【００１０】
【作用】
請求項１のものにおいては、フロントケース１自体に風切り音やポップノイズ防止用の音道４を設けたため、フロントケース１内に組み込まれる雑音成分減衰用の他の特別な部品を省略でき、スペーサ５のみで足り、部品点数を大幅に減少させることができる。
また、上述のように、積層する部品点数が少ないため、その分、小型化を図ることができる。
【００１１】
請求項２のものにおいては、屈曲した音道４を有する円板状の音道用アタッチメント８を用いているが、雑音防止用の主部材としてはこの音道用アタッチメント８とスペーサ９のみで、やはり部品点数が少ない。
【００１２】
また、屈曲した狭い溝状の音道を設け、音の入口からＭＩＣユニットまでの距離を長くし、風雑音を減衰させている。
【００１３】
また、請求項２のものは、従前のフロントケース１を利用可能で、その意味で汎用性も有している。
【００１４】
【実施例１】
図１ないし図５は本発明の第１実施例を示す。このうち図１はフロントケース１の一部の平面図、図２は図１中Ａ−Ａ線断面図を示す。
【００１５】
このフロントケース１の上面には円筒状のＭＩＣユニット取付部２が一体形成されている。
【００１６】
そして、この円筒部３内のフロントケース１自体の部分にはその円筒内の外周部側に外部からの音導入用の細長い透孔４ａが穿設されている。また、図示の状態において上面には、図１に示すように、ほぼループ状に屈曲形成された狭い溝状の音道４が形成されている。
【００１７】
この音道４は、上記透孔４ａと、この透孔４ａの上部と連通し、かつ円筒内３の上面においてその外周に沿って弧状に延びる屈曲部４ｂと、この狭い溝状の屈曲部４ｂの端部から透孔４ａに向かってほぼ直線状に延び、かつほぼ円形をなすＭＩＣユニット取付部２内のほぼ中央に位置する円形の孔４ｃとからなっている。そして、透孔４ａから入った音は孔４ｃに向かって、図３に示すように、ほぼループ状に伝わり、この過程で風雑音等を減衰させるようになっている。
【００１８】
図４はマイクロホンの構成部材の分解斜視図である。５はほぼリング状のスペーサで、中央部に音道４として機能する透孔５ａを有しており、ＭＩＣユニット取付部２内に収納される。この透孔５ａとフロントケース１側の音道４の終点の孔４ｃとは対応した位置となって連通するようになっており、その他の透孔４ａ、屈曲部４ｂ等はスペーサ５によって塞がれる。また、通気度のない弾性材あるいは剛体からなるこのスペーサ５の上方には周知構造のＭＩＣユニット６が積層・固定される。
【００１９】
しかして、フロントケース１の外側の音は、中心から偏位した位置にある透孔４ａ，屈曲部４ｂ，中央部の孔４ｃ，スペーサ５の透孔５ａ等からなる通路を通ってほぼループ状にＭＩＣユニット６に入る。このようにして音道４はその道長を長くしているので、風切り音やポップノイズを効果的に減少させることができる。
【００２０】
【実施例２】
図６ないし図８は本発明の第２実施例を示す。この例では、フロントケース１のＭＩＣユニット取付部２の部分の中央に透孔１ａが穿設され、かつＭＩＣユニット取付部２内に、まず円形の薄いフィルム状の防水シート７が収納され、防水タイプとなっている。この防水シート７は防水性があって通気性を有する材質のものが採択される。なお、防水シート７中の破線はフロントケース１に貼着するための両面テープの如き接着剤が施されていることを示す。
【００２１】
８は円板状の音道用アタッチメントであり、外周部に透孔４ａが穿設され、上面には透孔４ａと連通する狭い溝状の屈曲部４ｂがあり、屈曲部４ｂは中心の孔４ｃに向かって屈折されており、この音道４を有する音道用アタッチメント８は防水シート７の上に積層される。
【００２２】
しかして、その上に上記音道４の孔４ｃと連通する透孔９ａを有するほぼリング状のスペーサ９，ＭＩＣユニット６が順次積層される。
【００２３】
図７は図６に示した音道用アタッチメント８を反転させた下面側の斜視図を示す。この音道用アタッチメント８の外周には立上がったフランジ状の円筒部８ａが形成されており、フロントケース１の中央の透孔１ａから入った音を音道用アタッチメント８の透孔４ａに導入し得るように構成されている。
【００２４】
図８は組立状態の縦断面図を示す。フロントケース１の透孔１ａから入って来た音は音道用アタッチメント８の透孔４ａ，屈曲部４ｂ，中央の孔４ｃ，スペーサ９の透孔９ａ等からなる音道４を通ってＭＩＣユニット６に入り、その過程で雑音を減衰させるように構成されている。
【００２５】
なお、上記各実施例では、音道４をフロントケース１自体または音道用アタッチメント８等に立体的なほぼループ状の構造に形成したが、必ずしもその形状に限られるものではなく、所望の音響特性が得られればＵ字状の如き形状としても良い。また、例えば蛇行状としても良い。要は立体的な屈曲形状とするため、溝の道長を長くとれ、このようにして所望の音響特性を得て雑音を有効に減衰させることができれば良い。
【００２６】
【発明の効果】
以上のように、請求項１記載の本発明によれば、フロントケース１自体に雑音減衰用の道長の長い狭い溝状の音道４を形成したため、部品点数が減少し、しかも少ない部品点数であるにも拘らずＭＩＣユニット６への雑音侵入を有効に防止でき、また、部品点数が少ないため、組立工数も削減でき、かつ小型化を図り得る、という効果がある。
【００２７】
また、請求項２記載のものでも、雑音減衰用の部品は、音道４を有する円板状の音道用アタッチメント８，スペーサ９の２点のため、部品点数，組立工数を削減し得、かつ小型化を達成できる。
【００２８】
また、音道４は狭い溝状となって、かつ道長が長いため、雑音を有効に防止し得る。
【図面の簡単な説明】
【図１】本発明の第１実施例のフロントケースの一部分の平面図。
【図２】同上のＡ−Ａ線断面図。
【図３】音道を通る経路の説明図。
【図４】本発明の第１実施例のマイクロホンの各構成部品の分解斜視図。
【図５】同上の組立状態の縦断面図。
【図６】本発明の第２実施例の分解斜視図。
【図７】同上に用いられる音道用アタッチメントの斜視図。
【図８】組立状態の縦断面図。
【図９】一従来例の縦断面図。
【図１０】他の従来例の縦断面図。
【符号の説明】
１    フロントケース
１ａ  透孔
２    ＭＩＣユニット取付部
３    円筒部
４    音道
４ａ  透孔
４ｂ  屈曲部
４ｃ  孔
５    スペーサ
５ａ  透孔
６    ＭＩＣユニット
７    防水シート
８    音道用アタッチメント
９    スペーサ
９ａ  透孔
【図１】
0003593554.tif 000002
【図２】
0003593554.tif 000003
【図３】
0003593554.tif 000004
【図４】
0003593554.tif 000005
【図５】
0003593554.tif 000006
【図６】
0003593554.tif 000007
【図７】
0003593554.tif 000008
【図８】
0003593554.tif 000009
【図９】
0003593554.tif 000010
【図１０】
0003593554.tif 000011